(57)【要約】      （修正有）【課題】特に防水性及び放熱効果に優れたシーリングライトを提供する。【解決手段】シーリングライトは、中央に設けられる円盤体１０１と、上部に設けられる上縁部１１と、底部に設けられる下縁部１２と、円盤体に設けられ、上縁部と下縁部との間に間隔をおいて環状に配列される複数のフィン１３とを備える放熱ベース１０と、放熱ベースの円盤体に取り付けられると共に、円盤体と接触してフィンに熱を伝導する発光モジュール２０と、下端に上縁部に固定するフランジ３３が設けられ、円盤体に貫設される取付部材３０と、放熱ベースと取付部材との間及び放熱ベースと発光モジュールとの間にそれぞれ設置される複数のワッシャー４１，４２と、を有する。【選択図】図２
0003189178.tif 000002
【実用新案登録請求の範囲】
【請求項１】
中央に設けられる円盤体と、上部に設けられる上縁部と、底部に設けられる下縁部と、該円盤体に設けられ、該上縁部と該下縁部との間に間隔をおいて環状に配列される複数のフィンとを備える放熱ベースと、
前記放熱ベースの円盤体に取り付けられると共に、該円盤体と接触してフィンに熱を伝導する発光モジュールと、
下端に前記上縁部に固定するフランジが設けられ、前記円盤体に貫設される取付部材と、
前記放熱ベースと取付部材との間及び該放熱ベースと発光モジュールとの間にそれぞれ設置される複数のワッシャーと、を有することを特徴とするシーリングライト。
【請求項２】
前記放熱ベースの円盤体の底面に嵌合溝が凹設され、該嵌合溝にキャップが嵌め込まれ、該キャップを挟持するように、該放熱ベースにリングが取り付けられることを特徴とする請求項１に記載のシーリングライト。
【請求項３】
前記フィンの中間底面に円盤体と接着する平坦状の水平部が設けられると共に、上端が上縁部に、下端が下縁部に接着するように延出することを特徴とする請求項２に記載のシーリングライト。
【請求項４】
前記発光モジュールは、放熱ベースの円盤体の底面に接触するように取り付けられるプレートと、該プレートに取り付けられる複数のランプとを備えることを特徴とする請求項３に記載のシーリングライト。
【請求項５】
前記取付部材は、中空のチューブであり、上端に上環部が、下端に下環部が設けられ、
前記上環部の外径が上縁部１１の内径より小さく、該下環部の外周面にフランジが延設され、前記フランジの外径が上縁部の内径より大きいことを特徴とする請求項４に記載のシーリングライト。
【請求項６】
前記複数のワッシャーは、第一ワッシャー及び第二ワッシャーであり、該第一ワッシャーは、フランジのサイズと同一であり、放熱ベースとフランジとの間に取り付けられ、該第二ワッシャーは、キャップのサイズと同一であり、円盤体とキャップとの間に取り付けられることを特徴とする請求項５に記載のシーリングライト。
【請求項７】
前記取付部材の上環部の外周面にねじ山が設けられ、該上環部にコネクタが取り付けられ、該コネクタの内周面に、該上環部のねじ山と対応するねじ山が形成されることを特徴とする請求項６に記載のシーリングライト。
【請求項８】
前記キャップが光学レンズであることを特徴とする請求項７に記載のシーリングライト。
【請求項９】
前記放熱ベースの円盤体の底面の周囲から延出壁が下方へ延出することを特徴とする請求項１乃至８の何れか１項に記載のシーリングライト。
【考案の詳細な説明】
【技術分野】
【０００１】
本考案は、特に防水性及び放熱性に優れたシーリングライトに関するものである。
【背景技術】
【０００２】
シーリングライトは、照明が必要な広い場所、例えば、ショッピングモールや、地下駐車場、工場などによく使用され、その殆どが地面から離れた天井に取り付けられることから、明るさが強く、エネルギーの消耗が多くて熱が発生しやすいので、ライトが高温になるという問題があった。
【０００３】
図１０に示すように、既存のシーリングライトは、ベース９１と、取付部材９２と、複数のボルト９３を有し、該ベース９１は、上部に上縁部９１１が設けられ、該上縁部９１１の中心に配線のための開口が形成され、該上縁部９１１の周囲に複数のねじ孔９１２が形成され、該取付部材９２は、中空の管状を呈し、上端に上環部９２１が設けられ、該上環部９２１の外周面にねじ山が形成され、下端外周面にフランジ９２２が延出し、該フランジ９２２における、ねじ孔９１２と対応する箇所に固定孔９２３が形成され、該ボルト９３はそれぞれ固定孔９２３を通ってねじ孔９１２に螺合されることから、取付部材９２をベース９１に取り付けることができる。
【考案の概要】
【考案が解決しようとする課題】
【０００４】
しかしながら、既存のシーリングライトは、下方への照明を提供できるが、エネルギーの消耗が多くて熱が発生すると共に、放熱の効率も悪いことから、ライトの温度が高すぎて壊れやすいという問題があった。
【０００５】
さらに、前記取付部材９２のベース９１への取り付けるは、主にボルト９３の螺合によって行うことから、長時間使用すると、ボルト９３が緩まって取付部材９２とベース９１との間に隙間が発生して、水や湿気が入り、様々な問題が起きやすくなる。
【課題を解決するための手段】
【０００６】
上述した問題を解決するために、本考案に係るシーリングライトは、中央に設けられる円盤体と、上部に設けられる上縁部と、底部に設けられる下縁部と、該円盤体に設けられ、該上縁部と該下縁部との間に間隔をおいて環状に配列される複数のフィンとを備える放熱ベースと、
前記放熱ベースの円盤体に取り付けられると共に、該円盤体と接触してフィンに熱を伝導する発光モジュールと、
下端に前記上縁部に固定するフランジが設けられ、前記円盤体に貫設される取付部材と、
前記放熱ベースと取付部材との間及び該放熱ベースと発光モジュールとの間にそれぞれ設置される複数のワッシャーと、を有するものである。
【０００７】
かかるシーリングライトにおいて、前記放熱ベースの円盤体の底面に嵌合溝が凹設され、該嵌合溝にキャップが嵌め込まれ、該キャップを挟持するように、該放熱ベースにリングが取り付けられることが好ましい。
【０００８】
かかるシーリングライトにおいて、前記フィンの中間底面に円盤体と接着する平坦状の水平部が設けられると共に、上端が上縁部に、下端が下縁部に接着するように延出することが好ましい。
【０００９】
かかるシーリングライトにおいて、前記発光モジュールは、放熱ベースの円盤体の底面に接触するように取り付けられるプレートと、該プレートに取り付けられる複数のランプとを備えることが好ましい。
【００１０】
かかるシーリングライトにおいて、前記取付部材は、中空のチューブであり、上端に上環部が、下端に下環部が設けられ、
前記上環部の外径が上縁部１１の内径より小さく、該下環部の外周面にフランジが延設され、前記フランジの外径が上縁部の内径より大きいことが好ましい。
【００１１】
かかるシーリングライトにおいて、前記複数のワッシャーは、第一ワッシャー及び第二ワッシャーであり、該第一ワッシャーは、フランジのサイズと同一であり、放熱ベースとフランジとの間に取り付けられ、該第二ワッシャーは、キャップのサイズと同一であり、円盤体とキャップとの間に取り付けられることが好ましい。
【００１２】
かかるシーリングライトにおいて、前記取付部材の上環部の外周面にねじ山が設けられ、該上環部にコネクタが取り付けられ、該コネクタの内周面に、該上環部のねじ山と対応するねじ山が形成されることが好ましい。
【００１３】
かかるシーリングライトにおいて、前記キャップが光学レンズであることが好ましい。
【００１４】
かかるシーリングライトにおいて、前記放熱ベースの円盤体の底面の周囲から延出壁が下方へ延出することが好ましい。
【考案の効果】
【００１５】
上述した構造によれば、本考案に係るシーリングライトは、放熱ベースのフィンを備えることから、発光モジュールのランプから発生した熱を素早く排出することができ、さらに、上縁部とフランジとの間に第一ワッシャーが、上縁部とキャップとの間に第二ワッシャーが取り付けられることから、水や湿気の浸入を防止するので、シーリングライトの防水性が向上する。
【図面の簡単な説明】
【００１６】
【図１】本考案に係るシーリングライトにおける第一実施例の斜視図である。
【図２】本考案に係るシーリングライトにおける第一実施例の上面視分解斜視図である。
【図３】本考案に係るシーリングライトにおける第一実施例の底面視分解斜視図である。
【図４】本考案に係るシーリングライトにおける第一実施例の断面図である。
【図５】本考案に係るシーリングライトにおける第一実施例において、取付部材３０を放熱ベースに取り付ける状態を示す説明図である。
【図６】本考案に係るシーリングライトにおける第一実施例において、取付部材３０をボルトにより放熱ベースに取り付ける状態を示す説明図である。
【図７】本考案に係るシーリングライトにおける第二実施例の断面図である。
【図８】本考案に係るシーリングライトにおける第一実施例の使用状態を示す断面図である。
【図９】本考案に係るシーリングライトにおける第一実施例の他の使用状態を示す断面図である。
【図１０】既存のシーリングライトの断面図である。
【考案を実施するための形態】
【００１７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１８】
図１乃至図３に示すように、本考案に係るシーリングライトにおける第一実施例は、放熱ベース１０と、発光モジュール２０と、取付部材３０と、複数のワッシャーと、キャップ５０と、リング６０とを有する。
【００１９】
前記放熱ベース１０は、円盤状を呈し、中央に円盤体１０１が、上部に上縁部１１が、底部に下縁部１２が設けられ、該円盤体１０１における、上縁部１１と下縁部１２との間に間隔をおいて放射状に複数のフィン１３が設けられ、該円盤体１０１の中央に貫通孔が形成され、該上縁部１１は、円盤体１０１の貫通孔上端の内周面に延設され、該下縁部１２は、円盤体１０１の下端の底面周囲の下方に延設され、該フィン１３は、中間底面に円盤体１０１と接着する平坦状の水平部１３１が設けられ、上端が上縁部１１に、下端が下縁部１２に接着するように延出され、さらに、前記放熱ベース１０の円盤体１０１の底面における下縁部１２の内部に、前記キャップ５０を嵌め込むための環状の嵌合溝が凹設される。
【００２０】
前記発光モジュール２０は、放熱ベース１０の円盤体１０１に取り付けられ、円盤状のプレート２１と、該プレート２１に取り付けられる複数のランプ２２とを備え、該プレート２１は、複数のボルトによって、円盤体１０１の底面に接触するように放熱ベース１０に取り付けられる。この構成によれば、それらのランプ２２から発生した熱をプレート２１を介して円盤体１０１及びフィン１３に伝導させ、熱を素早く外部へ放出することができる。
【００２１】
前記取付部材３０は、中空のチューブであり、上端に上環部３１が、下端に下環部３２が設けられ、該上環部３１の外周面にねじ山が設けられ、該下環部３２の外周面にフランジ３３が延設される。
図３及び図４に示すように、取付部材３０の外径及び上環部３１の外径が上縁部１１の内径より小さく、フランジ３３の外径が上縁部１１の内径より大きいことから、取付部材３０は、フランジ３３を上縁部１１に当接するように、円盤体１０１の貫通孔に貫設され、また、複数のボルトによりフランジ３３を上縁部１１に螺合できる。
【００２２】
前記複数のワッシャーは、第一ワッシャー４１及び第二ワッシャー４２であり、該第一ワッシャー４１は、フランジ３３のサイズと同一であり、上縁部１１とフランジ３３との間に取り付けられ、該第二ワッシャー４２は、キャップ５０のサイズと同一であり、円盤体１０１の嵌合溝に位置し、且つ円盤体１０１とキャップ５０との間に取り付けられる。
【００２３】
前記キャップ５０は、透光性を備え、上縁部１１の嵌合溝に嵌合され、一方、前記リング６０は、環状を呈し、キャップ５０を挟持するように、ボルトによって放熱ベース１０の底面に取り付けられる。
【００２４】
図５及び図６に示すように、取付部材３０を放熱ベース１０に取り付ける時は、まず第一ワッシャー４１を上縁部１１の底面に位置させて取付部材３０を下側から放熱ベース１０の貫通孔に貫設し、フランジ３３の上面を第一ワッシャー４１に当接させ、複数のボルトを螺合することにより、放熱ベース１０の上側から上縁部１１とフランジ３３とを固定して、取付部材３０を放熱ベース１０にしっかり取り付ける。
【００２５】
一方、発光モジュール２０を取り付ける時は、発光モジュール２０のワイヤー（図に示せず）を取付部材３０の内部に配線することができる。さらに、取付部材３０の上環部３１にコネクタ７０が取り付けられ、該コネクタ７０の内周面に上環部３１のねじ山と螺合するねじ山が形成され、このコネクタ７０によって、本考案のシーリングライトを外部の電源と接続して発光モジュール２０に電力を提供する。
【００２６】
図７に示すように、本考案に係るシーリングライトにおける第二実施例は、殆ど第一実施例と同一であるが、放熱ベース１０の下縁部１２が異なる。
即ち、本実施例における下縁部１２は、円盤体１０１の底面の周囲から下方へ延出し、その内周面にキャップ５０及びリング６０の厚さより深い延出壁１２１が設けられる。つまり、キャップ５０及びリング６０は、下縁部１２の内部に設置され、且つ、延出壁１２１にカバーされるように、上縁部１１の底面に取り付けられる。このように、キャップ５０の周囲に下縁部１２の延出壁１２１を有することから、搬送や取り付け過程においてのキャップ５０への衝撃を防止でき、また、本実施例におけるキャップ５０は、光学レンズであることから、発光モジュール２０のランプ２２からの光がこの光学レンズを通ると、レンズの光学特性を発揮することができる。
【００２７】
図８に示すように、本考案に係るシーリングライトを天井に取り付ける時は、放熱ベース１０の下縁部１２がやや突出するようにシーリング８０と同一平面に取り付けてもよく、これによれば、発光モジュール２０のランプ２２から発生した熱を、放熱ベース１０のフィン１３を介して矢印方向に放出することができる。
【００２８】
また、図９に示すように、本考案に係るシーリングライトを天井に取り付ける時は、適当な高さに調整し、シーリングライトを吊るすように、取付部材３０をシーリング８０に取り付けてもよく、これによれば、発光モジュール２０のランプ２２から発生した熱を、放熱ベース１０のフィン１３を介して矢印方向に放出することができる。
【符号の説明】
【００２９】
１０    放熱ベース
１０１  円盤体
１１    上縁部
１２    下縁部
１２１  延出壁
１３    フィン
１３１  水平部
２０    発光モジュール
２１    プレート
２２    ランプ
３０    取付部材
３１    上環部
３２    下環部
３３    フランジ
４１    第一ワッシャー
４２    第二ワッシャー
５０    キャップ
６０    リング
７０    コネクタ
８０    シーリング
【図１】
0003189178.tif 000003
【図２】
0003189178.tif 000004
【図３】
0003189178.tif 000005
【図４】
0003189178.tif 000006
【図５】
0003189178.tif 000007
【図６】
0003189178.tif 000008
【図７】
0003189178.tif 000009
【図８】
0003189178.tif 000010
【図９】
0003189178.tif 000011
【図１０】
0003189178.tif 000012